(57)【要約】【課題】  様々なアレンジでファッションとして楽しむことができる擬似毛付きニット帽子を提供する。【解決手段】  擬似毛付きニット帽子１は、従来からのワッチと同様な帽子部２と、複数の擬似毛３とが、一体的なニット編成によって形成される。帽子部２は、大略的に一方に開口する袋状であり、開口部２ａの周縁に複数の擬似毛３が隣接して設けられている。擬似毛３は、フリンジ付き編地のフリンジとして、編成することができる。フリンジとして編成する擬似毛３は、先端を切断したり、または適度な長さにカットしたり、三つ編みなどを行ったりして、各種のアレンジを楽しむことができる。【選択図】  図１
2008184717.tif 000002
【特許請求の範囲】
【請求項１】
ニット編成による帽子部と、
帽子部とともに一体的に編成され、帽子部の一部に付着するように隣接して設けられる複数本の擬似毛とを、
含むことを特徴とする擬似毛付きニット帽子。
【請求項２】
前記帽子部は、少なくとも一方に開口する形状を有し、
前記擬似毛は、該開口の周囲に形成されることを特徴とする請求項１記載の擬似毛付きニット帽子。
【請求項３】
前記擬似毛は、前記帽子部に一端のみが接続されるフリンジとして編成されていることを特徴とする請求項１または２記載の擬似毛付きニット帽子。
【発明の詳細な説明】
【技術分野】
【０００１】
本発明は、毛髪状の擬似毛が付着するようにニット編成される擬似毛付きニット帽子に関する。
【背景技術】
【０００２】
従来から、典型的なニット帽子として、正ちゃん帽やワッチなどのウインタースポーツ用の帽子がニット編成で製造されている。これらのニット帽子は、ニット編成で製造される編地の伸縮性を利用し、頭部に密着させて覆うように着用する。つば付きなど、他の一般的な形状の帽子を、ニット編成で形成することもできる。
【０００３】
ニット帽子を含む帽子は、防寒や頭部の保護などの実用的な機能とともに、ファッションとしての装身的な機能も有している。脱毛や薄毛の対策として、帽子に前髪パーツ、側髪パーツ、後髪パーツなどを着脱可能にする組合せ式ヘアー付き帽子や着脱式のヘアーピースも提案されている（たとえば、特許文献１および特許文献２参照。）。このように、帽子本体に毛髪を着脱可能に設ければ、利用者の所望する髪型や髪色を適宜選択し、毛髪の取換えが自由な帽子を得ることができる。毛髪は、人工毛や天然毛を用いる。
【０００４】
なお、特許文献２に関連すると考えられるインターネット上のＷｅｂページには、ニット帽子にはウイッグを着脱するための着脱クリップが取付けられないので、縫い付ける旨が記載されている（たとえば、非特許文献１参照。）。また、両サイドに耳覆いを付けたニット帽子で、耳覆いの下端から飾りの三つ編み風フリンジを垂らしたものも販売されている（たとえば、非特許文献２参照。）。
【特許文献１】登録実用新案第３０６６１００号公報
【特許文献２】特開２００２−２１２８２５号公報
【非特許文献１】土橋  真理子、“髪の毛帽子Withwigとは”、［online］、［平成１９年１月２９日検索］、インターネット（URL:http://www.proid.co.jp/withwig/about_withwig.html）
【非特許文献２】“パイロットキャップ「ビッグボンボン」”、［online］、［平成１９年１月２９日検索］、インターネット（URL:http://www.kupu2.net/）
【発明の開示】
【発明が解決しようとする課題】
【０００５】
従来の毛髪付き帽子は、ヘアーピースを着脱式にして、脱毛や薄毛を隠すとともに、ファッションとしても楽しむことができるように考えられている。しかしながら、毛髪は人工毛や天然毛を用い、人毛に近い外観となるようにしているので、帽子に着脱可能にするためには止め具等が必要となる。また、非特許文献１のように、ニット帽子には着脱式にすることは困難で、毛髪を縫い付けてしまう必要があるので、帽子との組合せでのファッションの楽しみは少なくなる。さらに、帽子に毛髪を縫い付けることは、帽子と毛髪とを別に製造した後で、縫い付けて組合せる手間がかかる。
【０００６】
非特許文献２に示される両サイドの耳覆いから三つ編み風のフリンジを垂らすニット帽子であれば、ニット編成で帽子本体とフリンジとを一体的に編成することができるので、縫い付けて組合せる手間は不要となる。しかしながら、三つ編み風のフリンジは、両サイドの耳覆いの下端部のみからそれぞれまとめて１本ずつ垂らされる装飾であり、毛髪状の擬毛には見えない。
【０００７】
本発明の目的は、様々なアレンジでファッションとして楽しむことができる擬似毛付きニット帽子を提供することである。
【課題を解決するための手段】
【０００８】
本発明は、ニット編成による帽子部と、
帽子部とともに一体的に編成され、帽子部の一部に付着するように隣接して設けられる複数本の擬似毛とを、
含むことを特徴とする擬似毛付きニット帽子である。
【０００９】
また本発明で、前記帽子部は、少なくとも一方に開口する形状を有し、
前記擬似毛は、該開口の周囲に形成されることを特徴とする。
【００１０】
また本発明で、前記擬似毛は、前記帽子部に一端のみが接続されるフリンジとして編成されていることを特徴とする。
【発明の効果】
【００１１】
本発明によれば、ニット編成による帽子部の一部に、複数本の擬似毛が付着するように隣接して設けられるので、擬似毛を着用者の毛髪と組合せることができ、ヘアースタイルに合わせて様々なアレンジでファッションとして楽しむことができる。擬似毛は帽子部とともに一体的に編成されるので、毛髪を組合せる帽子を低コストで製造することができる。
【００１２】
また本発明によれば、少なくとも一方に開口する形状を有する帽子部の開口の周囲に擬似毛を形成するので、周囲に擬似毛を形成する開口が下になるように頭部に装着すれば、着用者の毛髪とともに、擬似毛を頭部の周囲に垂らして、毛髪と擬似毛とを組合わせるファッションを楽しむことができる。擬似毛を形成する開口が上になるように頭部に装着すれば、帽子部の上側から擬似毛が垂れるようなファッションを楽しむことができる。
【００１３】
また本発明によれば、擬似毛を帽子部に一端のみが接続されるフリンジとして編成するので、帽子部と同一の編糸でも、異なる編糸でも、自由な長さで擬似毛を付加することができる。
【発明を実施するための最良の形態】
【００１４】
図１は、本発明の実施の一形態としての擬似毛付きニット帽子１の概略的な構成を示す。擬似毛付きニット帽子１は、たとえば従来からのワッチと同様な帽子部２と、複数の擬似毛３とが、前後に針床を備える横編機を使用し、無縫製の一体的なニット編成によって形成される。帽子部２は、大略的に一方に開口する袋状であり、開口部２ａの周縁に複数の擬似毛３が隣接して設けられている。擬似毛３は、特開２００６−１６１２４１号公報に開示されているような糸抜け防止処理されたフリンジ付き編地のフリンジとして、編成することができる。このようなフリンジとして編成する擬似毛３は、２本の編糸が先端で繋がっている形状となるけれども、繋がったままでも毛髪状の外観を有する。先端を切断したり、または適度な長さにカットしたり、三つ編みなどを行ったりして、各種のアレンジを楽しむことができる。
【００１５】
図２は、本発明の実施の他の形態としての擬似毛付きニット帽子１１の概略的な構成を示す。（ａ）に示すように、擬似毛付きニット帽子１１は、擬似毛３が大略的にワッチと同様な帽子部１２の開口部１２ａの周縁ではなく、内側の途中に設けられている。帽子部１２を頭部に着用する際には、開口部１２ａの端が少し上になるように周囲を折返すと、（ｂ）に示すように、図１と同様に、擬似毛３は開口の周縁から垂下がるようになる。
【００１６】
図３は、本発明の実施のさらに他の形態としての擬似毛付きニット帽子２１の概略的な構成を示す。帽子部２２は、大略的に筒状であり、一方の開口部２２ａの周囲に擬似毛３が設けられる。擬似毛３が周囲に設けられる開口２２ａとともに、開口部２２ｂも設けられるので、いずれの開口部２２ａ，２２ｂを下にして着用することも容易となる。頭頂部は空いているので、他の防止を着用することも容易であり、帽子と組合せるアレンジも楽しむことができる。
【００１７】
図４は、図２に示すような折返しタイプの擬似毛付き帽子１１を、前後に針床を備える横編機を使用し、無縫製で編成する方法の他の例を概略的に示す。
【００１８】
（ａ）に示すように、捨て編み部１３を編み出して編成を開始する。捨て編み部１３に続き、抜き糸１４で編成し、続いて、帽子部１２の開口部１２ａの周囲で折返すゴム編み部１２ｂを編成する。ゴム編み部１２ｂの両側では、捨て編み部１３の編成を続ける。擬似毛３は、帽子部１２としてゴム編み部１２ｂに続いて編成される擬似毛付着部１２ｃの内側から外部まで出るように編成される。たとえば、前針床側で編成する擬似毛３は左側、後針床側で編成する擬似毛３は右側に出るように、それぞれまとめる。
【００１９】
（ｂ）に示すように、擬似毛３が帽子部１２の外部に出る部分は、ゴム編み部１２ｂの端部を乗り越えて、外部に出る。擬似毛３が帽子部１２の外部に出る部分は、捨て編み部１３を編成しておき、抜き糸１５で編成して接続する。（ａ）に示すように、擬似毛付着部１２ｃの編成後は、頂部１２ｄを編成する。
【００２０】
（ｃ）に示すように、ゴム編み部１２ｂは、前後の針床を使用して、周回編成を行い、筒状の編地として形成する。擬似毛３は、（ｄ）に示すように、外部への引き出しと内部への戻しとの往復で異なる空き針に掛けながら編成する。擬似毛付着部１２ｃの内部にも空き針を設けて、擬似毛３となる編糸を掛ける。擬似毛付着部１２ｃでは、順次起点となる編目の位置をずらし、後針床側の最終コースを編成したら、最終コースの編目を、起点となる擬似毛付着部１２ｃの編目を除いてすべて払う。次に前針床側も同様に編成する。各針床での最終コースを払うことによって、編目は解れ、擬似毛付きニット帽子１１としての編成終了後、分離することができる。また、編成終了後に手作業で、擬似毛３のうちで外部に出ている部分を、帽子部１２の内側に戻し、擬似毛３を引張ると、外部に出る際に広がっている孔を塞ぐことができる。擬似毛３の編成が終了すると、頂部１２ｄを前後の針床を使用する周回編成で筒状に形成する。
【００２１】
図５は、図１の擬似毛付きニット帽子１を着用してのアレンジの例を示す。（ａ）は、擬似毛３をロングストレートの状態で使用し、編糸の色の個性を楽しむ例を示す。（ｂ）は、帽子部２のデザインを変え、また擬似毛３の前側部分をカットしないで側方に寄せて編むアレンジを楽しむ例を示す。（ｃ）は、着用時に顔の周りとなる擬似毛３をランダムに段カットするアレンジを楽しむ例を示す。
【００２２】
図６は、図２の擬似毛付きニット帽子１１の帽子部１２を長めの筒状として形成し、開口部１２ａが下になるように着用する際の上部を畳むアレンジを楽しむ例を示す。擬似毛３は、たとえばオカッパヘアーとなるようにカットする。（ｂ）は、擬似毛３の前側をカットし、残りを三つ編みで耳にかかるようにまとめるようにアレンジしてポイントとして楽しむ例を示す。（ｃ）は、開口部１２ａの周囲に設ける擬似毛３のうち、前後の部分はカットして除去し、左右の擬似毛３を上に持上げて三つ編みにし、まとめて固定するアレンジを楽しむ例を示す。
【００２３】
図７は、図３の擬似毛付きニット帽子２１を着用してのアレンジの例を示す。このような帽子部２２は、筒状のシルエットとなり、上下で着用することができる。すなわち、（ａ）に示すように、擬似毛３が周囲に設けられる開口部２２ａを上側とし、擬似毛３は頭頂部側からたとえば後方に垂らすようなアレンジを楽しむことができる。擬似毛３には、ランダムに細い三つ編みを入れてアクセントとすることができる。（ｂ）は、開口部２２ａを下側にして、筒状の部分を折返し、擬似毛３は、頭側から上方にのばした後でポニーテールのように束ねるようなアレンジを楽しむ例を示す。（ｃ）は、（ｂ）の擬似毛３を短くランダムにカットし、帽子部２２をヘアーバンド風にアレンジして、活動的なイメージを楽しむ例を示す。
【００２４】
図８は、図１の擬似毛付きニット帽子１で、擬似毛３の素材を変えるアレンジを楽しむ例を示す。（ａ）は、帽子部２と擬似毛３とを同一の編糸で編成している例を示す。（ｂ）は、擬似毛３として、ファンシーヤーンなど、帽子部２とは異素材の編糸を大胆に使用して楽しむ例を示す。（ｃ）は、（ｂ）のような異素材の擬似毛３にさらに手を加え、三つ編みにして楽しむ例を示す。
【００２５】
図９は、図３に示す擬似毛付きニット帽子２１の帽子部２２を折曲げてヘアーバンド風にアレンジした上、さらに他の帽子と組合せを楽しむ例を示す。ただし、図６と異なり、擬似毛３が周囲に設けられる開口部２２ａを下にして着用する。（ａ）は、擬似毛付きニット帽子２１の上に別の帽子２５を重ね着するアレンジを楽しむ例を示す。（ｂ）は、擬似毛付きニット帽子２１の上に、たとえば図１に示すような擬似毛付きニット帽子１を重ねて、擬似毛付きニット帽子１，２１を二枚重ねして楽しむ例を示す。擬似毛３は着用者の頭部の周囲に二重に垂れ下がる。厚みがある擬似毛３は、ボリューム感を出すようにカットして楽しむことができる。
【００２６】
なお、図１および図２に示す擬似毛付きニット帽子１，１２でも、部分的に裏返す状態で着用すれば、上下を逆にして、擬似毛３を上方にのばすアレンジを楽しむことができる。また、帽子部２，１２の上に他の帽子と重ね着することができる。
【００２７】
以上のように、擬似毛付きニット帽子１，１１，２１は、多様なアレンジを楽しむことができる。擬似毛３は、帽子部２，１２，２２と一体的に編成するけれども、帽子部２，１２，２２はニット編成されて編地として形成されているので、他の糸を追加することも容易である。擬似毛３の長さとしては、三つ編み等の自由なアレンジを可能にするためには、３０ｃｍ以上あることが好ましい。長いものは、切れば短くすることができ、着用者などの好みで長さを調整したり、前髪をすべてなくす等のカットを可能にするなど、自由度は大きい。
【００２８】
また、擬似毛付きニット帽子の帽子部としては、ニット編成で形成可能な形状であればよく、たとえばつば付の形状など、通常、帽子として認識されている任意の形状とすることができる。さらに、ターバンやバンダナ、ヘアーバンドなど、頭部に着用する装身具であれば、同様に本発明を適用することができる。さらに、衣服に付属するフードなど、独立した帽子には該当しないものであっても、開口の周囲に擬似毛を設けるようにすれば、本発明を適用する擬似毛付き帽子とみなすことができる。
【００２９】
また、擬似毛３は、前述のようにフリンジとして編地に編込んだり、図４のように形成するばかりではなく、編地に挿入する編糸の端糸をのばすようにして形成するなどの、他の方法で形成することもできる。
【図面の簡単な説明】
【００３０】
【図１】本発明の実施の一形態としての擬似毛付きニット帽子１の概略的な構成を示す正面図である。
【図２】本発明の実施の他の形態としての擬似毛付きニット帽子１１の概略的な構成を示す正面図である。
【図３】本発明の実施のさらに他の形態としての擬似毛付きニット帽子２１の概略的な構成を示す正面図である。
【図４】図２に示すような折返しタイプの擬似毛付き帽子１１を、前後に針床を備える横編機を使用し、無縫製で編成する方法の他の例を概略的に示す図である。
【図５】図１の擬似毛付きニット帽子１を着用してのアレンジの例を示す図である。
【図６】図２の擬似毛付きニット帽子１１を着用してのアレンジの例を示す図である。
【図７】図３の擬似毛付きニット帽子２１を着用してのアレンジの例を示す図である。
【図８】図１の擬似毛付きニット帽子１で、擬似毛３の素材を変えるアレンジを楽しむ例を示す図である。
【図９】図３に示す擬似毛付きニット帽子２１の帽子部２２を折曲げてヘアーバンド風にアレンジした上、さらに他の帽子と組合せを楽しむ例を示す図である。
【符号の説明】
【００３１】
１，１１，２１  擬似毛付きニット帽子
２，１２，２２  帽子部
２ａ，１２ａ，２２ａ，２２ｂ  開口部
３  擬似毛
２５  帽子
【図１】
2008184717.tif 000003
【図２】
2008184717.tif 000004
【図３】
2008184717.tif 000005
【図４】
2008184717.tif 000006
【図５】
2008184717.tif 000007
【図６】
2008184717.tif 000008
【図７】
2008184717.tif 000009
【図８】
2008184717.tif 000010
【図９】
2008184717.tif 000011